(57)【要約】【課題】折り処理した用紙を安定して搬送する際に、必要時以外の搬送負荷の増加を極力抑えて効率よく用紙を安定搬送することを可能にする。【解決手段】用紙搬送方向を正逆両方向にして通常搬送ローラ３…３によって用紙の搬送が可能な搬送系を有し、該搬送系に、折り処理された用紙Ｐ１を逆方向に搬送する際に、前記通常搬送ローラ３、３間でローラ間隔が折り用紙の最小折り部長さ以下となるように位置して一時的に前記用紙Ｐ１に駆動力を付加し、前記折り処理された用紙を逆方向に搬送する以外の搬送では、前記駆動力付加が解除される一時搬送ローラ４を備えるので、必要時以外での無駄な負荷駆動電流の消費増加を極力抑え、搬送負荷の増大による効率低下を回避した上で用紙搬送の安定化を図ることができ、後処理装置に組み込む場合、後処理装置の小型化を図ることが容易になる。【選択図】図１
2009078871.tif 000002
【特許請求の範囲】
【請求項１】
用紙搬送方向を正逆両方向にして通常搬送ローラによって用紙の搬送が可能な搬送系を有し、該搬送系に、折り処理された用紙を逆方向に搬送する際に、前記通常搬送ローラ間でローラ間隔が折り用紙の最小折り部長さ以下となるように位置して一時的に前記用紙に駆動力を付加し、前記折り処理された用紙を逆方向に搬送する以外の搬送では、前記駆動力付加が解除される一時搬送ローラを備えることを特徴とする用紙搬送部。
【請求項２】
前記一時搬送ローラは、折り処理された用紙を逆方向に搬送する際に、用紙の搬送位置に移動し、折り処理された用紙を逆方向に搬送する以外の搬送では、前記搬送位置から退避するものであることを特徴とする請求項１記載の用紙搬送部。
【請求項３】
前記一時搬送ローラは、折り処理された用紙を逆方向に搬送する際に、駆動源から駆動力が伝達され、折り処理された用紙を逆方向に搬送する以外の搬送では、前記駆動源からの駆動力伝達が断たれ、遊動回転可能となることを特徴とする請求項１または２記載の用紙搬送部。
【請求項４】
前記一時搬送ローラで駆動力を加えて折り処理された用紙を逆方向に搬送する際に、用紙の搬送速度を遅くすることを特徴とする請求項１〜３のいずれかに記載の用紙搬送部。
【請求項５】
前記一時搬送ローラによる搬送負荷の増加分に合わせて、前記搬送速度を遅くすることで駆動力を増加させ、搬送ローラ全体の搬送力を略一定にすることを特徴とする請求項４記載の用紙搬送部。
【請求項６】
前記一時搬送ローラは、通常搬送ローラの回転方向に連動して前記用紙への駆動力の付加および解除がなされることを特徴とする請求項１〜５のいずれかに記載の用紙搬送部。
【請求項７】
少なくとも用紙の折り処理を行う折り処理部と、前記請求項１〜請求項６のいずれかに記載の用紙搬送部とを備えることを特徴とする後処理装置。
【発明の詳細な説明】
【技術分野】
【０００１】
この発明は、通常の用紙や折り処理などの後処理がされた用紙を正逆両方向に搬送可能な用紙搬送部および該搬送部を備える後処理装置に関するものである。
【背景技術】
【０００２】
画像データに基づいて画像処理などがされた用紙は、必要に応じてパンチ、ステープル、折り処理などの後処理がなされる。後処理がなされる用紙および後処理がなされた用紙は、画像形成装置などの供給側や、後処理部、用紙堆積部などとの間で用紙が搬送される。この用紙搬送を行う搬送系では、用紙を挟持して駆動力を与える駆動ローラや従動ローラなどからなる搬送ローラを備えている。また、搬送系では、搬送ローラ以外に遊動ローラを含むことができる。該搬送系では、種々のサイズの用紙に対応して用紙を順次搬送できるように、搬送ロール間の間隔を適切に定めている。例えば、図４（ａ）（ｂ）に示すように、用紙Ｐ０のサイズに合わせて、該用紙サイズ以下になるように、搬送路２０に配置する搬送ローラ２１、２２間の間隔を定める。
【０００３】
さらに、用紙に対しＺ折り処理やＬ折り処理などの折り処理を行った用紙を搬送する搬送系では、元々の用紙サイズよりも小さくなった用紙の長さに対応できるように、図４（ｃ）に示すように、搬送ロール２１、２２間の間隔を上記折り処理後の用紙Ｐ１の長さ以下にして、折り部Ｐ１０側を前方にして搬送する。この際には、折り部Ｐ１０の浮き上がりを防止するために、用紙抑え機構を設けた搬送系も提案されている（例えば特許文献１参照）。
【０００４】
また、折り処理とパンチなどの後処理を行う場合、パンチ処理位置のズレが発生しない為には、折り処理機にパンチ機構を設け、用紙の曲り補正をしてからパンチ処理と折り処理を行うユニットを用いることが多い。後処理ユニットの構成では、ステイプルやシフト排紙が出来る後処理機（ユニット）、仮にフィニッシャーと呼ぶものがメインとなることが多く、パンチ処理ユニットを追加する際は、このフィニッシャーの中に追加で組み込む構成をとる。しかし、更に折り処理機構を追加する場合は、パンチユニットがフィニッシャー内と折りユニット内の２ヶ所に存在し、無駄な構成となってしまう。
このような無駄を解消するものとして、下流側の後処理ユニットより用紙を上流側の後処理ユニットに逆搬送を可能とし、上流に用紙を逆搬送し送り込んで上流側の後処理を、下流側の後処理にて処理後に実行できるようにすることで、フィニッシャー内のパンチユニットを不要とする方法（特許文献２参照）が提案されている。
【０００５】
また、用紙にパンチを行う場合、図５に示すように、パンチ位置を合わせ、用紙の曲がりを補正するためにパンチユニット１０の直前でレジストローラ１０ａによって用紙Ｐ０のレジストを行う。これにより、用紙Ｐ０の正確な位置にパンチ穴３０が形成される。一方、折り処理を行った用紙Ｐ１にパンチを行う場合、用紙を正方向に搬送すると、図６に示すように折り部Ｐ１０側が前方になってレジストローラ１０ａに達する。しかし、折り部９１０がレジストローラ１０ａに突き当たる状態では、用紙Ｐ１０の曲がりの補正が十分になされず、用紙が曲がった状態でパンチユニット１０に供給されることがあるためパンチ穴３０の位置がずれやすいという問題がある。
【０００６】
これに対しては、折り処理後のパンチが可能なように、折り用紙のパンチと、折無し用紙（通常）パンチ時の曲り補正突き当て位置を、２ヶ所有し、折り処理紙のパンチでは用紙を逆搬送して曲り補正を用紙後端で曲り補正を行う方法（特許文献３参照）が提案されている。
【特許文献１】特開２００４−２７７１４１号公報
【特許文献２】特開２００４−１６１４６６号公報
【特許文献３】特開２００７−１７００号公報
【発明の開示】
【発明が解決しようとする課題】
【０００７】
ところで、上記提案方法のように、折り処理された用紙Ｐ１を下流側から上流側に逆搬送すると、図７（ａ）に示すように、後方側で折り部Ｐ１０側が搬送ローラ２２を抜けると、用紙の前方側では用紙Ｐ１の一枚部分のみが前方の搬送ロール２１で引っ張られることになり、この結果、折り部Ｐ１０が拡がって搬送負荷が増え、紙曲がりの原因になってしまう。
また、折り処理された用紙の位置合わせおよび紙曲がりの補正を行うために、用紙Ｐ１を逆搬送する場合、図７（ｂ）に示すように、搬送路１２に配置した搬送ローラ１３、１３間で上記と同様に折り部Ｐ１０が拡がって膨らむなどしてレジストローラ１０ａによるレジスト効果が十分に得られなくなる。また、搬送を逆転する際に、折り部Ｐ１０が再度搬送ローラ１３を通るときに、２度折り状態になるなどの不具合が生じやすくなる。
【０００８】
一方、用紙の逆搬送を要しない後処理装置を構成しようとすると、折り処理前にパンチ処理が必要となり、機械の大型化にも繋がってしまい現実的ではない。このため、折り処理された用紙を逆搬送する場合には、図８に示すように、折り用紙の最小折り部長さ以下（図示では９４ｍｍ以下）の間隔で搬送路２０に、搬送ローラ２１、２２、２３…を配置することで、上記問題の解決を図っている。図９は、各種サイズの用紙をＺ折りした場合の最小折り部長さを示している。上記の例では、搬送対象となる用紙における最小折り部長さが９４ｍｍであるため、搬送ローラの間隔を９４ｍｍ以下に設定している。したがって、半焼対象となる用紙の最小折り部長さが異なる場合には、この最小折り部長さ以下となるように搬送ローラの間隔を設定すればよい。
【０００９】
しかし、間隔を小さくして搬送ローラを配置すると、搬送ローラの数を多くする必要があり、搬送による電源への負荷が増大する。搬送系では、折り処理された用紙だけでなく、折り処理がされていない用紙も搬送する場合があり、このような搬送においては、必要以上に搬送負荷電流が消費されることになり、効率的でないという問題がある。
【００１０】
本発明は、上記事情を背景としてなされたものであり、折り処理された用紙を逆搬送する際にのみ、安定した用紙搬送を確保するために一時搬送ローラを稼働させて無駄な負荷電流の消費を回避することができる用紙搬送部および後処理装置を提供することを目的とする。
【課題を解決するための手段】
【００１１】
すなわち、本発明の用紙搬送部のうち第１の本発明は、用紙搬送方向を正逆両方向にして通常搬送ローラによって用紙の搬送が可能な搬送系を有し、該搬送系に、折り処理された用紙を逆方向に搬送する際に、前記通常搬送ローラ間でローラ間隔が折り用紙の最小折り部長さ以下となるように位置して一時的に前記用紙に駆動力を付加し、前記折り処理された用紙を逆方向に搬送する以外の搬送では、前記駆動力付加が解除される一時搬送ローラを備えることを特徴とする。
【００１２】
すなわち、本発明によれば、折り処理がされた用紙を逆搬送する際にのみ、一時搬送ローラによって用紙に搬送駆動力が付加され、それ以外では、該付加が解除されるので、用紙の搬送が常に安定してなされるとともに、搬送負荷電流の消費増大を極力少なくして効率的な用紙搬送を可能にする。なお、上記ローラ間隔は、搬送路に沿った間隔であり、搬送路が湾曲しているような場合には、この湾曲した搬送路に沿った距離になる。
【００１３】
第２の本発明の用紙搬送部は、前記第１の本発明において、前記一時搬送ローラが、折り処理された用紙を逆方向に搬送する際に、用紙の搬送位置に移動し、折り処理された用紙を逆方向に搬送する以外の搬送では、前記搬送位置から退避するものであることを特徴とする。
【００１４】
第２の本発明によれば、一時的な搬送駆動の付加が必要でない場合には、ソレノイドなどによって一時搬送ローラを移動させることで一時搬送ローラと用紙との接触が解かれ、通常時と略同じ搬送負荷によって用紙の搬送が行われる。一時的な搬送駆動の付加が必要な場合には、ソレノイドなどによって一時搬送ローラを搬送位置に移動させて用紙への駆動力付加を可能にする。なお、この際に、一時搬送ローラの駆動が停止されるのが望ましい。また、移動させる一時搬送ローラは、駆動ローラと遊動ローラが対になる場合には、駆動ローラ側のみを移動させるものであってもよい。
【００１５】
第３の本発明の用紙搬送部は、前記第１または第２の本発明において、前記一時搬送ローラは、折り処理された用紙を逆方向に搬送する際に、駆動源から駆動力が伝達され、折り処理された用紙を逆方向に搬送する以外の搬送では、前記駆動源からの駆動力伝達が断たれ、遊動回転可能となることを特徴とする。
【００１６】
第３の本発明によれば、一時的な搬送駆動の付加が必要でない場合には、一時搬送ローラは遊動状態になり、搬送負荷の増加が極力小さく抑えられる。
【００１７】
第４の本発明の用紙搬送部は、前記第１〜第３の本発明のいずれかにおいて、前記一時搬送ローラで駆動力を加えて折り処理された用紙を逆方向に搬送する際に、用紙の搬送速度を遅くすることを特徴とする。
【００１８】
第４の本発明によれば、一時搬送ローラの駆動力付加による搬送負荷の増加は、搬送速度の低下による搬送ローラ全体の搬送負荷の低減によって補い、折り処理がされた用紙を逆搬送する以外の通常搬送時に対する搬送負荷の増大を極力小さくして、負荷の変動が抑えられる。
【００１９】
第５の本発明の用紙搬送部は、前記第４の本発明において、前記一時搬送ローラによる搬送負荷の増加分に合わせて、前記搬送速度を遅くすることで駆動力を増加させ、搬送ローラ全体の搬送力を略一定にすることを特徴とする。
【００２０】
第５の本発明によれば、一時搬送ローラの駆動力付加による搬送負荷の増加は、搬送速度の低下による駆動力の増加によって搬送ローラ全体の搬送力を略一定にすることで相殺される。これにより電源の能力を格別に増大させることなく、用紙搬送の安定化を図ることができる。
【００２１】
第６の本発明の用紙搬送部は、前記第１〜第５の本発明において、前記一時搬送ローラは、通常搬送ローラの回転方向に連動して前記用紙への駆動力の付加および解除がなされることを特徴とする。
【００２２】
第６の本発明によれば、通常搬送ローラの回転によって動作する手段、例えばワンウェイクラッチなどによって一時搬送ローラの移動や駆動力伝達の断続を行う。
【００２３】
第７の本発明の用紙搬送部は、少なくとも用紙の折り処理を行う折り処理部と、前記第１〜第６の発明のいずれかに記載の用紙搬送部とを備えることを特徴とする。
【発明の効果】
【００２４】
以上説明したように、本発明の用紙搬送部によれば、用紙搬送方向を正逆両方向にして通常搬送ローラによって用紙の搬送が可能な搬送系を有し、該搬送系に、折り処理された用紙を逆方向に搬送する際に、前記通常搬送ローラ間でローラ間隔が折り用紙の最小折り部長さ以下となるように位置して一時的に前記用紙に駆動力を付加し、前記折り処理された用紙を逆方向に搬送する以外の搬送では、前記駆動力付加が解除される一時搬送ローラを備えるので、必要時以外での無駄な負荷駆動電流の消費増加を極力抑え、搬送負荷の増大による効率低下を回避した上で用紙搬送の安定化を図ることができる。
【００２５】
また、本発明の後処理装置によれば、少なくとも用紙の折り処理を行う折り処理部と、本発明の用紙搬送部とを備えるので、搬送負荷の増大を招くことなく常に用紙を安定して搬送することができ、折り処理された用紙の逆方向への搬送も問題なく行うことができ、装置の小型化を図ることが容易になる。
【発明を実施するための最良の形態】
【００２６】
（実施形態１）
以下に、本発明の一実施形態を説明する。
後処理装置に備えられ、必要に応じて用紙を正逆両方向に搬送することができる用紙搬送部１では、搬送の対象となる各種サイズの用紙のうち、最小サイズの用紙寸法以下となる間隔（この例では１３９．７ｍｍ以下）で、搬送路２に沿って通常搬送ローラ３…３が配置されている。通常搬送ローラ３は、通常搬送駆動ローラ３ａと通常搬送遊動ローラ３ｂとが対になり、通常搬送駆動ローラ３ａが回転駆動することで用紙を挟持して搬送するように構成されている。
【００２７】
また、Ｚ折りされた用紙を逆搬送する際に備えて、折り部長さが最小である寸法以下となる間隔（この例では９４ｍｍ以下）で、搬送路２に搬送ローラが位置するように、前記通常搬送ローラ３、３間に、一時搬送ローラ４が配置されている。この結果、通常搬送ローラ３と一時搬送ローラ４との間隔は９４ｍｍ以下となる。一時搬送ローラ４は、一時搬送駆動ローラ４ａと一時搬送遊動ローラ４ｂとが対になり、一時搬送駆動ローラ４ａが回転駆動することで用紙を挟持して搬送するように構成されており、一時搬送駆動ローラ４ａは、搬送位置において、隣接する通常搬送駆動ローラ３ａから駆動力が伝達されるように伝動ベルト３ｃが架け渡されている。なお、一時搬送駆動ローラ４ａは、ソレノイド５によって回転移動する移動杆５ａに取り付けられており、該ソレノイド５の動作によって、搬送位置および退避位置への移動が可能になっている。
【００２８】
以下に、上記用紙搬送部１の動作について説明する。
折り処理がなされた用紙Ｐ１を逆方向（折り部Ｐ１０側が後方側に位置する）に搬送する場合、図１（ａ）に示すように、ソレノイド５を動作させて、移動杆５ａを介して一時搬送駆動ローラ４ａを搬送路２に位置させる。この状態で、各通常搬送駆動ローラ３ａを図１示で時計方向に回転させると、一時搬送駆動ローラ４ａに対し、隣接する通常搬送駆動ローラ３ａから伝動ベルト３ｃによって駆動力が伝達され、一時搬送駆動ローラ４ａも時計方向に回転する。通常搬送駆動ローラ３ａと通常搬送遊動ローラ３ｂ、一時搬送駆動ローラ４ａと一時搬送遊動ローラ４ｂとの間には、用紙Ｐ１が送り込まれ、上記通常搬送ローラ３と一時搬送ローラ４とによって搬送されて、図示左方に移動する。この際に、用紙Ｐ１の折り部Ｐ１０は、常にいずれかの搬送ローラに挟持された状態になり、用紙Ｐ１の曲がりなどが防止され、安定した搬送がなされる。
【００２９】
次に、折り処理がなされた用紙Ｐ１を逆方向に搬送する以外の場合、例えば、折り処理がされた用紙Ｐ１を正方向に搬送する場合、ソレノイド５を動作させて、移動杆５ａを介して一時搬送駆動ローラ４ａを搬送路２から離れるように退避移動させる。この状態で、各通常搬送駆動ローラ３ａを図１示で反時計方向に回転させると、通常搬送駆動ローラ３ａと通常搬送遊動ローラ３ｂとの間に、用紙Ｐ１が送り込まれ、上記通常搬送ローラ３によって搬送されて、図示右方に移動する。この際に、用紙Ｐ１の折り部Ｐ１０が先行して通常搬送ローラ３に挟持された状態になるので、安定した用紙搬送がなされる。また、一時搬送ローラ４による搬送負荷は、殆どない状態になる。
【００３０】
（実施形態２）
上記実施形態１では、ソレノイドによって一時搬送ローラの移動を行うものとしたが、通常搬送ローラの回転方向に連動して一時搬送ローラによる駆動力の付加および解除がなされるようにしてもよい。この実施形態２では、通常搬送ローラにワンウェイギアを介して移動杆を接続することで上記駆動力の付加及び解除を可能にしている。なお、この実施形態２において実施形態１と同様の構成については同一の符号を付してその説明を省略または簡略化する。
【００３１】
一時搬送駆動ローラ４ａは、前記実施形態と同様に隣接する通常搬送駆動ローラ３ａから伝動ベルト３ｃを介して駆動力が伝達される。また、他方側の通常搬送駆動ローラ３ａでは、伝動ベルト６を介してワンウェイギア７に駆動力の伝達が可能になっており、該ワンウェイギア７の駆動伝達側に移動杆８が接続され、該移動杆８の先端側に前記一時搬送駆動ローラ４ａが取り付けられて、搬送路２との離接が可能になっている。すなわち、通常搬送ローラ３の回転に連動して一時搬送ローラ４による用紙への駆動力付加および解除が可能になっている。なお、一時搬送駆動ローラ４ａは、移動杆８からの駆動力が加わらない場合には、コイルスプリングなどの付勢手段によって搬送位置から退避するようにされている。
【００３２】
以下に、この実施形態２における動作について説明する。
折り処理がなされた用紙Ｐ１を逆方向（折り部側が後方側に位置する）に搬送する場合、図２（ａ）に示すように、通常搬送駆動ローラ３ａが時計方向に回転し、その回転力が伝動ローラ６に伝達され、ワンウェイギア７によって該回転力が移動杆８に伝達される。この回転力によって移動杆８は、図示反時計回りに回転し、一時搬送駆動ローラ４ａを搬送路２に位置させる。また、この際に、一時搬送駆動ローラ４ａに、隣接する通常搬送駆動ローラ３ａから伝動ベルト３ｃを介して駆動力が伝達され、一時搬送駆動ローラ４ａも時計方向に回転する。通常搬送駆動ローラ３ａと通常搬送遊動ローラ３ｂ、一時搬送駆動ローラ４ａと一時搬送遊動ローラ４ｂとの間に、用紙Ｐ１が送り込まれ、図示左方に安定して移動する。
【００３３】
一方、折り処理がなされた用紙Ｐ１を逆方向に搬送する以外の場合、例えば、折り処理がされた用紙Ｐ１を正方向に搬送する場合、ワンウェイギア７による回転力は、移動杆８には伝達されず、一時搬送駆動ローラ４ａは、前記した付勢手段によって搬送路２から離れて退避している。この状態で、各通常搬送駆動ローラ３ａを反時計方向に回転させると、通常搬送駆動ローラ３ａと通常搬送遊動ローラ３ｂとの間に、用紙Ｐ１が送り込まれ、上記通常搬送ローラ３によって搬送されて、図示右方に安定して移動する。この際にも、一時搬送ローラ４による搬送負荷は、殆どない状態になる。
【００３４】
（実施形態３）
上記実施形態１、２は、下流側から上流側に用紙を逆搬送することができる搬送路を備える搬送部について説明したが、用紙をレジストする搬送路においても同様に一時搬送ローラを設けることができる。
この実施形態３では、後処理装置に備えるパンチユニット１０の下流側において搬送路１２にレジストローラ１０ａを配置し、そのさらに下流側に、用紙の最小サイズ以下の間隔で通常搬送ローラ１３、１３を配置する。該通常搬送ローラ１３は、通常搬送駆動ローラ１３ａと通常搬送遊動ローラ１３ｂとが対になって用紙を挟持、搬送するように構成されている。
【００３５】
これら通常搬送駆動ローラ１３、１３との間には、Ｚ折りされた用紙を逆搬送する際に備えて、折り部長さが最小である寸法以下となる間隔で、搬送路１２に搬送ローラが位置するように、一時搬送ローラ１４が配置されている。この結果、通常搬送ローラ１３と一時搬送ローラ１４との間隔は折り部最小寸法以下の間隔となる。
一時搬送ローラ１４は、一時搬送駆動ローラ１４ａと一時搬送遊動ローラ１４ｂとが対になって搬送する用紙を挟持して搬送するように構成されており、一時搬送駆動ローラ１４ａは、搬送位置において、隣接する通常搬送駆動ローラ３ａから伝動ローラ１３ｃ、伝動ベルト１３ｄを介して駆動力が伝達される。なお、一時搬送駆動ローラ１４ａは、コイルスプリングなどの付勢手段の付勢力によって、搬送位置から離れて退避移動可能になっている。
【００３６】
また、上記通常搬送駆動ローラ１３ａでは、伝動ベルト１６を介してワンウェイギア１７に駆動力の伝達が可能になっており、該ワンウェイギア１７の駆動伝達側に移動杆１８が接続され、該移動杆１８の先端側に前記一時搬送駆動ローラ１４ａが取り付けられて、搬送路１２との離接が可能になっている。すなわち、通常搬送ローラ１３の回転に連動して一時搬送ローラ１４による用紙への駆動力付加および解除が可能になっている。
【００３７】
以下に、この実施形態３における動作について説明する。
折り処理がなされた用紙Ｐ１は、正方向（折り部Ｐ１０が前方側）に搬送されてパンチユニット１０を通過し、通常搬送ローラ１３、１３によってレジストローラ１０ａの下流側にまで搬送される。この際に、ワンウェイギア１７による回転力は、移動杆１８には伝達されず、一時搬送駆動ローラ１４ａは、前記した付勢手段によって搬送位置から離れて退避している。
【００３８】
上記通常搬送ローラ１３、１３によって用紙Ｐ１が所定の位置にまで搬送されると、搬送ローラ１３、１３を逆転させて用紙Ｐ１を逆方向に搬送する。この際に、通常搬送駆動ローラ１３ａの回転力が伝動ローラ１６、ワンウェイギア１７によって移動杆１８に伝達され、前記付勢手段による付勢力に抗して一時搬送駆動ローラ１４ａを搬送位置に移動させる。
【００３９】
さらに、通常搬送駆動ローラ１３ａの回転力は、伝動ローラ１３ｃ、伝動ローラ１３ｄに伝達され、一時搬送駆動ローラ１４ａが通常搬送駆動ローラ１３ａと同様に逆搬送方向に回転する。通常搬送駆動ローラ１３ａと通常搬送遊動ローラ１３ｂ、一時搬送駆動ローラ１４ａと一時搬送遊動ローラ１４ｂとの間に挟まれた用紙Ｐ１は、逆方向に安定して搬送され、用紙Ｐ１の先端側がレジストローラ１０ａに付き当たり、位置合わせと用紙曲がりの補正が良好になされる。この用紙Ｐ１をパンチユニット１０に搬送してパンチを行うことで、正確な位置にパンチ穴を形成することができ、処理効率をあまり落とさずに、折りパンチ時のパンチ位置精度の向上が出来る。
【００４０】
なお、上記各実施形態では、用紙を正方向に搬送する際の搬送速度と、用紙を逆方向に搬送する際の搬送速度については特に言及しなかったが、本発明としては、一時搬送ローラの稼働によって増加する搬送負荷を軽減するために、搬送系における搬送速度を通常搬送時に対し、遅くすることができる。例えば、折り処理がなされた用紙を逆方向に搬送する際に、一時搬送ローラの稼働によって搬送負荷がΔＷ増加する場合、搬送速度をΔＶ遅くすることによって駆動力を増加させて一時搬送ローラ以外の搬送系での搬送負荷をΔＷ１だけ減少させることができる。これにより一時搬送ローラの稼働によって増加する搬送負荷を、ΔＷ−ΔＷ１とすることができる。搬送速度の低下は生産性などを考慮して定めることができるが、電源容量の増加を行うことなく、上記の安定した搬送を行いたい場合には、ΔＷ≒ΔＷ１となるように搬送速度を低下させて搬送力を略一定にすればよい。
【００４１】
また、上記各実施形態では、一時搬送駆動ローラを退避させることで駆動力付加および解除を行うものとしたが、駆動源と一時搬送駆動ローラとの間に駆動力断続機構を設けて、必要時以外は、一時搬送駆動ローラが遊動ロールとして機能するように構成し、折り処理した用紙を逆方向に搬送する必要時には、駆動力断続機構を接続状態にして、一時搬送駆動ローラが回転駆動されるように構成してもよい。また、この構成に合わせて上記各実施形態における一時搬送駆動ローラの移動を組み合わせるようにしてもよい。
【００４２】
以上、本発明について上記実施形態に基づいて説明を行ったが、本発明は、上記実施形態の内容に限定されるものではなく、本発明の範囲を逸脱しない限りは当然に適宜の変更が可能である。
【図面の簡単な説明】
【００４３】
【図１】この発明の一実施形態の用紙搬送部を示す概略図である。
【図２】同じく、他の実施形態の用紙搬送部を示す概略図である。
【図３】同じく、他の実施形態の用紙搬送部を示す概略図と一部拡大図である。
【図４】従来の、用紙を正方向に搬送する搬送ローラの配置状態を示す概略図である。
【図５】従来の、通常の用紙にパンチ処理を行う際の搬送方法を示す概略図である。
【図６】従来の、Ｚ折り処理をした用紙にパンチ処理を行う際の搬送方法を示す概略図である。
【図７】従来の、Ｚ折り処理をした用紙にパンチ処理を行う際に逆搬送を行う搬送方法を示す概略図である。
【図８】従来の、Ｚ折り処理した用紙を逆搬送する搬送ローラの配置状態を示す概略図である。
【図９】Ｚ折り処理した用紙種を示す図である。
【符号の説明】
【００４４】
１    用紙搬送部
２    搬送路
３    通常搬送ローラ
４    一時搬送ローラ
５    ソレノイド
７    ワンウェイギア
１０    パンチユニット
Ｐ１    用紙（Ｚ折りした用紙）
Ｐ１０  折り部
【図１】
2009078871.tif 000003
【図２】
2009078871.tif 000004
【図３】
2009078871.tif 000005
【図４】
2009078871.tif 000006
【図５】
2009078871.tif 000007
【図６】
2009078871.tif 000008
【図７】
2009078871.tif 000009
【図８】
2009078871.tif 000010
【図９】
2009078871.tif 000011